(57)【特許請求の範囲】
【請求項１】
巻部間のスペースにより離隔させられた複数の巻部を含み、近位端及び遠位端で終端するらせん状体、及び、前記らせん状体の少なくとも二つの巻部の間を延在する少なくとも一つの内部ストラットを備えるヘリコイルと、
少なくとも一つのストラットを受ける少なくとも一つの溝を備え、前記ヘリコイルを回すインサータと、
を備え、前記インサータの回転が前記ヘリコイルの回転を生じるように、前記ヘリコイルの少なくとも一つのストラットが前記インサータの少なくとも一つの溝内にマウントされるように前記ヘリコイルが前記インサータにマウントされ、
前記ヘリコイルが前記インサータにマウントされると、前記ヘリコイル内面が前記インサータのテーパ状本体直径と直接接触するような積極的な締めを前記ヘリコイル及び前記インサータが形成するように、前記ヘリコイルがテーパ状内面を備え、かつ前記インサータがテーパ状外面を構成するヘリコイル固定システム。
【請求項２】
前記少なくとも一つのストラットがらせん構造を備える請求項１に記載のシステム。
【請求項３】
前記少なくとも一つのストラットのらせん構造が前記らせん状体とは反対の方向のらせん状である請求項２に記載のシステム。
【請求項４】
前記少なくとも一つのストラットのらせん構造が前記らせん状体よりも長い周期を有する請求項２に記載のシステム。
【請求項５】
前記ヘリコイルが少なくとも二つのストラットを備える請求項１に記載のシステム。
【請求項６】
前記らせん状体の遠位端が平滑である請求項１に記載のシステム。
【請求項７】
少なくとも二つのヘリコイルが存在する請求項１に記載のシステム。
【請求項８】
前記ヘリコイルが非吸収性材料で作られている請求項１に記載のシステム。
【請求項９】
前記ヘリコイルが吸収性材料で作られている請求項１に記載のシステム。
【請求項１０】
前記インサータが、少なくとも一つの溝よりも遠位に位置したテーパ状座部形成ねじを備え、さらに前記テーパ状座部形成ねじが、前記らせん状体の巻部を受ける座部を組織内に形成するように構成された請求項１に記載のシステム。
【請求項１１】
巻部間のスペースにより離隔させられた複数の巻部を構成し、近位及び遠位で終端する、らせん状体と、
前記らせん状体の少なくとも二つの巻部の間で延在し、らせん構造を備える、少なくとも一つの内部ストラットと、
を備え、
少なくとも一つのストラットを受ける少なくとも一つの溝を備えていて前記ヘリコイルを回すインサータ上へと前記ヘリコイルがマウントされると、前記ヘリコイル内面が前記インサータのテーパ状本体直径と直接接触するような積極的な締めを前記ヘリコイル及び前記インサータが形成するように、前記ヘリコイルが、前記インサータに設けられたテーパ状外面に対応したテーパ状内面を備えているヘリコイル。
【請求項１２】
前記少なくとも一つのストラットの前記らせん構造が、前記らせん状体とは反対の方向のらせん状である請求項１１に記載のヘリコイル。
【請求項１３】
前記少なくとも一つのストラットの前記らせん構造が、前記らせん状体よりも長い周期を有する請求項１２に記載のヘリコイル。
【請求項１４】
前記ヘリコイルが少なくとも二つのストラットを備える請求項１１に記載のヘリコイル。
【請求項１５】
前記らせん状体の遠位端が平滑である請求項１１に記載のヘリコイル。
【請求項１６】
少なくとも二つのヘリコイルが存在する請求項１１に記載のヘリコイル。
【請求項１７】
前記ヘリコイルが非吸収性材料で作られている請求項１１に記載のヘリコイル。
【請求項１８】
前記ヘリコイルが吸収性材料で作られている請求項１１に記載のヘリコイル。
【請求項１９】
前記ヘリコイルが前記インサータにマウントされる際に、前記インサータ上への前記ヘリコイルの導入を行うように、前記テーパ状座部形成ねじが前記ヘリコイルよりも小さなサイズとされている請求項１０に記載のシステム。
【発明の詳細な説明】
【技術分野】
【０００１】
[係属中の先行特許出願の参照]
本特許出願は、２００９年２月２５日付け出願の特許文献１及び２００８年１１月２６日付け出願の特許文献２の優先権を主張するＰＣＴ国際特許出願である。
【０００２】
上記二つの特許出願はそれらの全体が参照によりここに折り込まれる。
【０００３】
本発明は概して医療装置及び方法に関し、より詳しくは靭帯を再建する医療装置及び方法に関する。
【背景技術】
【０００４】
靭帯は、骨の人工四肢を接続する、及び／又は体内の所定位置に組織をサポート及び／又は保持する働きをする組織の強いバンドである。靭帯は一般的に、平行に又は近接して組み合わされた手法で配置された密な線維組織の粗束から作られており、線維組織がしなやか且つ柔軟であるが、あまり伸張しない。
【０００５】
多くの場合、靭帯は、事故の結果として、損傷又は破壊される。したがって、このようなダメージを受けた靭帯を修復又は置換するための様々な手法が開発されている。
【０００６】
例えば、人間の膝において、前十字靱帯および後十字靱帯（すなわち「ＡＣＬ」及び「ＰＣＬ」）は、脛骨の上端と大腿骨の底端との間を延在する。ＡＣＬ及びＰＣＬは、他の靭帯及び軟組織とともに、膝に対する静的及び動的安定性の両方をもたらす役目をする。多くの場合、前十字靭帯（すなわち「ＡＣＬ」）は、例えばスポーツに関するけがの結果として、破壊及び断裂される。この結果、膝の正常な機能を実質的に回復するように、ＡＣＬ再建に対する様々な外科的手法が開発されてきた。
【０００７】
多くの場合、ＡＣＬは、破裂されたＡＣＬを移植靭帯と置換することにより、再建することができる。より具体的には、この手法において、骨トンネルは通常、脛骨上部及び大腿骨底部の両方に形成され、移植靭帯の一端が大腿骨トンネル内に位置決めされ且つ移植靭帯の他端が脛骨端部に位置決めされ、移植靱帯の中間部分が大腿骨底部と脛骨上部との間の距離に及んでいる。移植靭帯の二つの端部は、移植靭帯が実質的に同じ方法で大腿骨底端と脛骨上端の間を延在してオリジナルのＡＣＬと実質的に同じ機能を有するように、従来周知の様々な方法で各骨トンネルに固定されている。移植靭帯はその後、膝の正常な機能を実質的に再建するように、周囲の身体上構造と協働する。
【０００８】
ある状況下で、移植靭帯は、患者体内の他の部分から採取された靭帯又は腱、例えば、骨ブロックを有する又は有しない膝蓋腱、半腱様筋の腱、及び／又は薄筋腱とすることができる。状況が違えば、移植靭帯は、死体から採取されたものとすることができる。さらに他の状況では、移植靭帯は、合成繊維とすることができる。本発明を目的として、上記のすべては、本明細書において総称して移植靭帯ということができる。
【０００９】
上述のように、大腿骨及び脛骨トンネル内に移植靭帯の二つの端部を固定するため、当該技術分野において様々なアプローチが周知である。
【００１０】
大腿骨固定、脛骨固定、又は両方に適用することのできる周知の手法において、移植靭帯の端部は骨トンネル内に配置され、次に移植靭帯は当該技術分野では一般的に「干渉」ねじとして知られている、頭部のない整形外科用ねじを用いて適所に固定される。より具体的には、このアプローチによって、移植靱帯の端部は骨トンネル内に配置され、次に干渉ねじが骨トンネル内で進められ、それによって、干渉ねじが骨トンネルに沿って延在すると共に、移植靱帯及び骨トンネル側壁の両方を同時に係合する。この構成において、干渉ねじは、骨トンネルの対向側壁と係合するように、移植靱帯を横方向に実質的に押し進め、それによって、ホスト骨（host bone）に移植靱帯を所謂「締まりばめ」を用いて固定する。したがって、長い時間（例えば数ヶ月）をかけて、移植靱帯及びホスト骨は、靱帯と骨との間に強く自然な接合をもたらすように、それらの接触点で共に成長する。
【００１１】
干渉ねじ（interference screw）は、骨トンネル内に移植靱帯を固定するのに効果的な手段であることが確認されている。しかしながら、干渉ねじ自体は通常、骨トンネル内のかなりの量の空間を占めてしまい、それは移植靱帯と骨トンネル側壁との間に作られる表面接触を制限することがある。これは、逆に、骨・靱帯内部成長の領域を制限してしまい、したがって接合強度に影響を及ぼすことがある。限定ではなく一例として、一般的な干渉ねじは、潜在的骨・靱帯組込部位（potential bone-to-ligament integration region）の約５０％を閉塞することが推定される。
【００１２】
このため、干渉ねじが時間とともに最終的に見えなくなると共に骨・靱帯内部成長が骨トンネルのほぼ全周囲について生じるように、吸収性材料から作られた干渉ねじを提供するために大変な努力がなされた。この目的を達成するために、様々な吸収性干渉ねじが開発されており、該吸収性干渉ねじは、生態適合性ポリマー、生態吸収性ポリマー、例えばポリ乳酸（ＰＬＡ）、ポリグリコール酸など、から作られている。これらのポリマーは通常、干渉ねじを適所に進め、その後、永続的（permanent basis）に適所に残すことなく、骨・靱帯内部成長が生じる間は、移植靱帯を適所に保持するのに必要な、十分な機械強度をもたらす。
【００１３】
一般に、生体適合性、生体吸収性ポリマーから作られた干渉ねじは、臨床的な成功が確認されている。しかしながら、これらの吸収性のある干渉ねじは未だ、いくつかの問題点に悩まされている。第一に、臨床的証拠は、骨・靱帯内部成長の質が、自然の骨・靱帯内部成長とは少し違うことを示しており、ある意味では、上記の生体吸収性ポリマーは、秩序だった（well-ordered）組織マトリックスよりも、線維性腫瘤により置換されやすい。第二に、臨床的証拠は、吸収は通常、かなりの期間、例えば約３年位を要することを示している。したがって、この吸収の期間の間は、骨・靱帯内部成長は、干渉ねじの存在により未だ、大幅に制限されてしまう。第三に、臨床的証拠は、多くの患者にとって、吸収は決して完全ではなく、体内にかなりの異質の固まりを残したままにしていることを示している。この問題は、十分な強度を有する吸収性干渉ねじを提供するために、吸収性干渉ねじがかなり大きくなる傾向にあることにより若干悪化し、例えば、吸収性干渉ねじは、８〜１２ｍｍの直径（すなわち、外径）及び２０〜２５ｍｍの長さを有することが一般的である。
【先行技術文献】
【特許文献】
【００１４】
【特許文献１】米国特許出願第１２／３９２，８０４号明細書
【特許文献２】米国特許出願第６１／２００，２８５号明細書
【発明の概要】
【発明が解決しようとする課題】
【００１５】
したがって、新規であり且つ改良された干渉固定システムに対する要求があり、該システムは、（ｉ）骨・靱帯内部成長（bone-to-ligament in-growth）が生じる間は、適所に移植靱帯を保持するのに必要な強度を有し、かつ（ｉｉ）優れた骨・靱帯内部成長を促進する。
【課題を解決するための手段】
【００１６】
これらと他の目的は、骨に移植靱帯を固定する新規のヘリコイル干渉固定システムの提供及び使用により対応される。
【００１７】
本発明の一形態において、新規のヘリコイル干渉固定システムが提供され、該ヘリコイル干渉固定システムが、
巻部間のスペースにより離隔させられた複数の巻部から構成され、近位端及び遠位端で終端するらせん状体、及び、前記らせん状体の少なくとも二つの巻部の間を延在する少なくとも一つの内部ストラットを含むヘリコイルと、
少なくとも一つの前記ストラットを受ける少なくとも一つの溝を備え、前記ヘリコイルを回すインサータと、
を備え、前記インサータの回転が前記ヘリコイルの回転を生じるように、前記ヘリコイルの少なくとも一つのストラットが前記インサータの少なくとも一つの溝内にマウントされるように前記ヘリコイルが前記インサータにマウントされる。
【００１８】
本発明の他の態様において、骨に移植靱帯を取付ける新規の方法が提供され、
該方法は、ヘリコイル干渉固定システムを提供する工程を備え、
該ヘリコイル干渉固定システムが、
巻部間のスペースにより離隔させられた複数の巻部から構成され、近位端及び遠位端で終端するらせん状体、及び、前記らせん状体の少なくとも二つの巻部の間を延在する少なくとも一つの内部ストラットを含むヘリコイルと、
前記少なくとも一つのストラットを受ける少なくとも一つの溝を備え、前記ヘリコイルを回すインサータと、
を備え、前記インサータの回転が前記ヘリコイルの回転を生じるように、前記ヘリコイルの少なくとも一つのストラットが前記インサータの少なくとも一つの溝内にマウントされるように、前記ヘリコイルが前記インサータにマウントされ、
前記骨内に骨トンネルを形成し、かつ移植靱帯を設ける工程を備え、
前記骨トンネル内に移植靱帯を挿入する工程を備え、
締まりばめを利用して前記骨に前記移植靱帯を固定するように、インサータを用いて前記骨トンネル内で前記ヘリコイルを回す工程を備える。
【００１９】
本発明の更なる他の形態において、巻部間のスペースにより離隔させられた複数の巻部から構成され、近位端及び遠位端で終端するらせん状体と、らせん構造から構成され、前記らせん状体の少なくとも二つの間の巻部の間を延在する、少なくとも一つの内部ストラットと、を備える新規のヘリコイルが提供される。
【００２０】
これらと他の本発明の目的及び特徴は、以下の本発明の好適な実施形態の詳細な説明により、より完全に開示又は明らかにされ、それは、添付図面とともに考慮され、該図面は、同様の符号は同様の部品に言及し、また、以下の通りである。
【図面の簡単な説明】
【００２１】
【図１】本発明に従って構成された第一のヘリコイル干渉固定システムを示す概略図である。
【図２】本発明に従って構成された第一のヘリコイル干渉固定システムを示す概略図である。
【図３】本発明に従って構成された第一のヘリコイル干渉固定システムを示す概略図である。
【図４】本発明に従って構成された第一のヘリコイル干渉固定システムを示す概略図である。
【図５】本発明に従って構成された第一のヘリコイル干渉固定システムを示す概略図である。
【図６】本発明に従って構成された第一のヘリコイル干渉固定システムを示す概略図である。
【図７】本発明に従って構成された第一のヘリコイル干渉固定システムを示す概略図である。
【図８】本発明に従って構成された第二のヘリコイル干渉固定システムを示す概略図である。
【図９】本発明に従って構成された第二のヘリコイル干渉固定システムを示す概略図である。
【図１０】本発明に従って構成された第二のヘリコイル干渉固定システムを示す概略図である。
【図１１】本発明に従って構成された第二のヘリコイル干渉固定システムを示す概略図である。
【図１２】本発明に従って構成された第二のヘリコイル干渉固定システムを示す概略図である。
【図１３】本発明に従って構成された第二のヘリコイル干渉固定システムを示す概略図である。
【図１４】図８〜図１３の第二のヘリコイル干渉固定システムを用いた大腿骨固定を示す概略図である。
【図１５】図８〜図１３の第二のヘリコイル干渉固定システムを用いた大腿骨固定を示す概略図である。
【図１６】図８〜図１３の第二のヘリコイル干渉固定システムを用いた大腿骨固定を示す概略図である。
【図１７】図８〜図１３の第二のヘリコイル干渉固定システムを用いた大腿骨固定を示す概略図である。
【図１８】図８〜図１３の第二のヘリコイル干渉固定システムを用いた大腿骨固定を示す概略図である。
【図１９】図８〜図１３の第二のヘリコイル干渉固定システムを用いた大腿骨固定を示す概略図である。
【図２０】図８〜図１３の第二のヘリコイル干渉固定システムを用いた大腿骨固定を示す概略図である。
【図２１】図８〜図１３の第二のヘリコイル干渉固定システムを用いた完全（full）ＡＣＬ再建術を示す概略図である。
【図２２】図８〜図１３の第二のヘリコイル干渉固定システムを用いた完全ＡＣＬ再建術を示す概略図である。
【図２３】図８〜図１３の第二のヘリコイル干渉固定システムを用いた完全ＡＣＬ再建術を示す概略図である。
【図２４】図８〜図１３の第二のヘリコイル干渉固定システムを用いた完全ＡＣＬ再建術を示す概略図である。
【図２５】図８〜図１３の第二のヘリコイル干渉固定システムを用いた完全ＡＣＬ再建術を示す概略図である。
【図２６】図８〜図１３の第二のヘリコイル干渉固定システムを用いた軟組織ＡＣＬ固定を示す概略図である。
【図２７】図８〜図１３の第二のヘリコイル干渉固定システムを用いた軟組織ＡＣＬ固定を示す概略図である。
【図２８】図８〜図１３の第二のヘリコイル干渉固定システムを用いた軟組織ＡＣＬ固定を示す概略図である。
【図２９】本発明に従って構成された第三のヘリコイル干渉固定システムを示す概略図である。
【図３０】本発明に従って構成された第三のヘリコイル干渉固定システムを示す概略図である。
【図３１】本発明に従って構成された第三のヘリコイル干渉固定システムを示す概略図である。
【図３２】本発明に従って構成された第四のヘリコイル干渉固定システムを示す概略図である。
【図３３】本発明に従って構成された第五のヘリコイル干渉固定システムを示す概略図である。
【図３４】本発明に従って構成された第六のヘリコイル干渉固定システムを示す概略図である。
【図３５】本発明に従って構成された第六のヘリコイル干渉固定システムを示す概略図である。
【図３６】本発明に従って構成された第六のヘリコイル干渉固定システムを示す概略図である。
【図３７】本発明に従って構成された第七のヘリコイル干渉固定システムを示す概略図である。
【図３８】本発明に従って構成された第八のヘリコイル干渉固定システムを示す概略図である。
【図３９】本発明に従って構成された第九のヘリコイル干渉固定システムを示す概略図である。
【発明を実施するための形態】
【００２２】
本発明は、骨又は他の組織に移植靱帯を取付ける、新規のヘリコイル干渉固定システム（helicoil interference fixation system）の提供及び使用を含んでいる。
【００２３】
都合上、本発明は、以下に、ＡＣＬ脛骨及び／又は大腿骨固定に対する使用との関連について説明する。しかしながら、本発明はまた、脛骨及び／または大腿骨への他の移植靱帯の固定、及び／又は、他の骨又は臓器などの他の組織への他の移植靱帯の固定に使用することができることが理解されるべきである。
【００２４】
まず図１〜図７を見ると、骨に移植靱帯を固定する新規のヘリコイル固定システム５が示されている。ヘリコイル干渉固定システム５は通常、骨・靱帯内部成長が生じる間は、適所に移植靱帯を保持するように、骨内に配置するヘリコイル１０を備えている。ヘリコイル干渉固定システム５はまた、骨トンネル内にヘリコイル１０を配置するインサータ１５を備えている。
【００２５】
より詳しくは、さらに図１〜図６、特に図５を見ると、ヘリコイル１０は通常、遠位端２５及び近位端３０で終端する、らせん状体２０を備えている。らせん状体２０は、前記らせん状体の巻部４０の間にかなりのスペース又はギャップ３５が存在するように構成されている。スペース又はギャップ３５は、例えば、らせん状体を通じて大きな開口を設けることにより、骨・靱帯内部成長を促進する。これらの大きな開口は、骨・靱帯内部成長を向上するように、ヘリコイルを通じて細胞・栄養素を有する（cell-and nutrient-bearing）流体の流れを促進し、かつヘリコイルにわたって細胞の内部成長を可能にする。
【００２６】
一つ又は二つ以上のストラット４５は、前記一つ又は二つ以上のストラット４５がらせん状体２０の内面５０に固定された状態で、らせん状体２０の内面内に配置されている。以下に、より詳細に説明されるように、一つ又は二つ以上のストラット４５は、前記らせん状体内に配置の間中、ヘリコイル１０を回す手段を提供する。また、一つ又は二つ以上のストラット４５は、らせん状体２０の巻部４０に対する構造支柱を提供することができる。一つ又は二つのストラット４５は、らせん状体２０と一体的に形成することができ（例えば、成形加工により）、又は、ヘリコイル２０とは別個に形成して次に、別個の製造プロセスにおいて（例えば、溶接工程により）、らせん状体２０に取付けることができる。ここで、一つ又は二つ以上のストラット４５は、らせん状体２０と一体的に形成され、一つ又は二つのストラット４５は、適所に溶融流れが得られるように用いることができる。
【００２７】
本発明の一の好適な形態において、一つ又は二つ以上のストラット４５は、らせん構造を構成している。そして、本発明の一の特に好適な形態において、一つ又は二つ以上のストラット４５は、らせん構造を備え、該らせん構造は、らせん状体２０のらせんとは反対の方向にらせん状とし、かつ一つ又は二つ以上のストラット４５は、らせん状体２０のピッチよりもかなり大のピッチを有する。図５参照。
【００２８】
好適には、ストラット４５の数、及びそのサイズは、らせん状体２０の巻部４０間のスペース又はギャップ３５の重要でない部分を隔離するように、それによってヘリコイルを通じて流体及び組織の通路を実質的に妨げないように、選択される。同時に、しかしながら、ストラット４５の数、そのサイズ、及びその構成は、配置の間中、ヘリコイル１０を回す適切な手段を提供するように、かつらせん状体２０の巻部２０に対する任意の必要なサポートを提供するように、選択される。
【００２９】
本発明の一の好適な形態において、一つのストラット４５が設けられる。
【００３０】
本発明の他の好適な形態において、複数のストラット４５（例えば、二つ、三つ、四つ又は五つ以上のストラット）が設けられる。
【００３１】
そして、本発明の一の好適な形態において、ストラット４５は合計で、らせん状体２０の巻部４０間のスペース又はギャップ３５の５０パーセント（５０％）未満で、隔離する。
【００３２】
そして、本発明の一の好適な形態において、ストラット４５は合計で、らせん状体２０の巻部４０間のスペース又はギャップ３５の２０パーセント（５０％）未満で、隔離する。
【００３３】
ヘリコイル１０は、一つ又は二つ以上の生体適合性のある材料から形成されている。これら生体適合性のある材料は、非吸収性（例えば、ステンレス鋼又はプラスチック）、又は、吸収性（例えば、生体吸収性ポリマー）とすることができる。本発明の一つの好適な形態において、ヘリコイル１０は、好ましくは、ポリ乳酸（ＰＬＡ）、ポリグリコール酸（ＰＧＡ）などの、生体吸収性ポリマー、から構成することができる。いずれにしても、しかしながら、ヘリコイル１０は、固定デバイスを適所にセットするとともに、骨・靱帯内部成長が生じる間中、移植靱帯を適所に保持するのに必要な強度を提供することのできる材料から構成されている。
【００３４】
インサータ１５は図１〜図４、及び図７に示されている。インサータ１５は通常、遠位端６０及び近位端６５を有するシャフト５５を備えている。一つ又は二つ以上の溝７０が、シャフト５５の遠位端に形成されている。溝７０は、ヘリコイル１０をシャフト５５の遠位端にマウントするとともにシャフト５５の回転により回転することができるように、一つ又は二つ以上の、ヘリコイル１０のストラット４５を受ける。テーパ状座部形成ねじ７５（例えば、テーパ状切断ねじ、テーパ状開口ねじ、又は拡張ねじなど）は、溝７０に対して遠位のシャフト５５に形成されている。テーパ状座部形成ねじ（tapered seat-forming thread）７５は、移植靱帯と骨トンネルとの間のスペース内にヘリコイル１０を先行するとともに、次に、以下により詳細に説明されるように、ねじ形態を作るタップとほぼ同じ方法で、移植靱帯及びらせん状体２０の巻部４０を受ける、骨トンネルの壁部内に導入部又は開口を形成するのに役立つ。ハンドル８０は、外科医によるシャフト５５の回転を容易にするために、シャフト５５の近位端にマウントされる。
【００３５】
テーパ状座部形成ねじ７５は、ヘリコイル１０がインサータ１５にマウントされると、テーパ状座部形成ねじ７５がヘリコイル１０に対して適切な導入部を設けるように、ヘリコイル１０に適合させられることが理解される。
【００３６】
好適には、らせん状体２０の内面５０及びインサータ１５の遠位端６０は、テーパが付けられており、近位方向において外側に拡張しており、それによってヘリコイルの内面がインサータのテーパ状本体直径（tapered body diameter）と直接接触するように、ヘリコイル１０及びインサータ１５が積極的な締め（positive seat）を形成している。
【００３７】
したがって、ヘリコイル１０がシャフト５５の遠位端にマウントされると、インサータ１５は、ヘリコイルを手術部位に進め、ハンドル８０の回転により、ヘリコイル１０を移植靱帯と骨トンネルの壁部との間のギャップ内で回し、それによって、骨トンネル内に移植靱帯の干渉固定を作るのに使用することができることが理解される。有意に、インサータ１５は、ヘリコイル１０より先に遠位端に形成されたテーパ状座部形成ねじ７５を有するために、テーパ状座部形成ねじは、ヘリコイル１０より先に組織内に座部（seat）を形成することができ、それによって、ヘリコイルが容易に組織内を進むとともに所望の干渉固定を作るのを可能にする。したがって、ヘリコイル１０は、組織を貫通するために、その遠位端に貫通点を有することを必要としない。
【００３８】
必要に応じて、インサータ１５は、カニューレ挿入することでき、それによってインサータ及びヘリコイル１０は、以下に説明されるように、ガイドワイヤにわたって配置することができる。
【００３９】
図８〜図１３は他のヘリコイル干渉固定システム５を示しており、ヘリコイル１０は、二つのストラット４５と、二つの溝７０を含むインサータ１５と、を備えている。一つのストラット４５ではなく二つのストラット４５を使用することにより、より大の表面積にわたって回転中にかかる荷重を分散することができるので、有利とすることができる。これは、ヘリコイル１０が生体吸収性ポリマーから形成される場合、重要とすることができる。
【００４０】
ヘリコイル干渉固定システム５は、骨に移植靱帯を取付けるために、干渉ねじシステムのものに一般に類似した手法において利用することができる。
【００４１】
より詳しくは、図１４〜図２５を見ると、ヘリコイル干渉固定システム５を用いて達成される、ＡＣＬ再建の種々の態様が示されている。
【００４２】
図１４は、一般的な膝関節２０５を示しており、関節がＡＣＬ再建に対して準備された状態であり、例えば、自然のＡＣＬが除去された状態であり、脛骨トンネル２１０が脛骨２１５内に形成された状態であり、かつ大腿骨トンネル２２０が大腿骨２２５内に形成された状態である。
【００４３】
図１５は、移植靱帯２３０が、当該技術分野において周知の方法に従って、大腿骨トンネル２２０内及び脛骨トンネル２１０内に位置決めされていること以外は、図１４と同様の図である。一例として、移植靱帯２３０は、けん引縫合を用いて、脛骨トンネル２１０を通じて大腿骨２２０内に、上方に「引かれている」ものとすることができる。
【００４４】
図１６及び図１７は、ヘリコイル干渉固定システム５を用いて、大腿骨トンネル２２０内に迅速に作られた移植靱帯２３０を示す。より具体的には、本発明に従って、ヘリコイル１０は、インサータの溝７０にヘリコイル１０のストラット４５を取付けることにより、インサータ１５の遠位端にマウントされている。次に、インサータは、脛骨トンネル２１０を通じて、膝関節２０５の内部を通って、そして大腿骨トンネル２２０内へ完全に、ヘリコイル１０を進めるのに使用される。必要に応じて、インサータ１５はカニューレ挿入することができ、それによってインサータ及びヘリコイルが、当該技術分野で周知のガイドワイヤのようなものにわたって進められる。インサータの遠位端が進められると、テーパ状座部形成ねじ７５はまず、移植靱帯２３０と大腿骨トンネル２２０の側壁との間のスペース内に、その進む空間を見出す。次に、インサータが回されると、テーパ状座部形成ねじ７５は、ヘリコイルより先に組織内に座部を形成し、らせん状体２０の回転が座部形成ねじ７５により形成された座部にらせん状体を座らせるように、ヘリコイル１０が組織内で進められる。これが生じると、移植靱帯は、骨トンネルの対向する側壁と係合するように、横方向に駆動される。この動作は、大腿骨トンネル２２０の側壁と移植靱帯２３０との間に、ヘリコイル１０をセットし、それによって移植靱帯２３０と骨トンネルの側壁との間に締まりばめを固定し、それによって移植靱帯２３０を骨に固定する。
【００４５】
その後、図１８及び図１９を見ると、インサータ１５は、ヘイコイル２０を移植靱帯と骨トンネルの側壁との間の適所にとどまらせたまま取り出される。図２０に示されるように、ヘリコイル１０は、移植靱帯２２０と骨トンネルの側壁との間に設けられた締まりばめ（interference fit）を維持し、それによって移植靱帯を骨に固定する。
【００４６】
必要に応じて、ヘリコイル干渉固定システム５は、その後、同様の方法で、脛骨固定を構成するために用いることができる。図２１〜図２５参照。
【００４７】
有意に、開口らせんコイルは適所に固定デバイスをセットするのに必要な強度を提供し、かつ骨・靱帯内部成長が生じる間は移植靱帯を適所に保持するが、一方で固定デバイス本体を通じて追加アクセスを提供するため、固定デバイスを開口らせんコイルの形態で構成することは特に有利であることが確認されている。したがって、細胞・栄養素を有する流体は、ヘリコイル１０の本体を通じて実質的にスムースに移動することができ、かつ組織内部成長（tissue in-growth）がヘリコイル１０の本体にわたって生じる。
【００４８】
さらに、移植靱帯がその後、締まりばめに軸荷重をかけた場合、ストラット４５がらせん状体２０の巻部４０の構造的な完全性を維持するのに役立ち、それによって締まりばめの完全性を確実にすることが見出された。
【００４９】
図１６〜図２４において、移植靱帯２３０が、靱帯の端部で骨ブロックを含むように示されており、例えば、移植靱帯１０は、付着した骨ブロックを有する膝蓋腱とすることができる。しかしながら、図２６〜図２８に見られるように、移植靱帯２３０はまた、軟組織のみを構成することができる。例えば移植靱帯２３０は、半腱様筋腱及び／又は薄筋腱、及び／又は人工デバイスから構成することができる。
【００５０】
図５及び図１１において、一つ又は二つ以上のストラット４５は、らせん構造を有するものとして示されている。しかしながら、一つ又は二つ以上のストラット４５はまた、直線構造と共に形成することができる。例えば図２９〜図３０を参照すると、図２９〜図３０は、単一の直線ストラット４５を有するヘリコイル１０を示し、かつ図３１は複数の直線ストラット４５を有するヘリコイル１０を示す。
【００５１】
さらに、図３２に見られるように、一つ又は二つ以上のストラット４５は、巻部４０の間に入れられ、又は図３３に見られるように、一つ又は二つ以上のストラット４５は、巻部４０の間に選択的に入れることができる。
【００５２】
締まりばめは、複数のヘリコイル１０を用いて形成することができることが理解される。したがって、図３４〜３６に見られるように、複数のヘリコイル１０は、インサータ１５に負荷をかけると共に、集合締まりばめ（collective interference fit）に対して使用することができる。
【００５３】
必要に応じて、図３７を見ると、一つ又は二つ以上のストラット４５は、陥凹４５Ａと置換することができる。この場合、インサータ１５上の溝７０は、対応リブ（図示省略）により置換され、それによってインサータ１５がヘリコイル１０を回転可能に駆動することを可能にする。
【００５４】
図３８に示されるように、巻部４０の周期（period）は、ヘリコイル１０の長さ方向に沿って変えることができる。
【００５５】
また必要に応じて、ヘリコイル１０は、その遠位端２５とその近位端３０との間でテーパを付けることができる。
【００５６】
[修正]
本開示を考慮して、本発明の更なるなる実施形態は当業者にとって明らかであると理解される。本発明は、本明細書に開示及び／又は図面に示された特定の構成及び方法ステップに限定されるものでなく、本発明の要旨の範囲内で任意の修正又は均等物を構成することができると理解される。
【符号の説明】
【００５７】
１０  ヘリコイル
１５  インサータ
２０  らせん状体
３５  スペース又はギャップ
４０  巻部
４５  ストラット
７０  溝
【図１】
0005851840.tif 000002
【図２】
0005851840.tif 000003
【図３】
0005851840.tif 000004
【図４】
0005851840.tif 000005
【図５】
0005851840.tif 000006
【図６】
0005851840.tif 000007
【図７】
0005851840.tif 000008
【図８】
0005851840.tif 000009
【図９】
0005851840.tif 000010
【図１０】
0005851840.tif 000011
【図１１】
0005851840.tif 000012
【図１２】
0005851840.tif 000013
【図１３】
0005851840.tif 000014
【図１４】
0005851840.tif 000015
【図１５】
0005851840.tif 000016
【図１６】
0005851840.tif 000017
【図１７】
0005851840.tif 000018
【図１８】
0005851840.tif 000019
【図１９】
0005851840.tif 000020
【図２０】
0005851840.tif 000021
【図２１】
0005851840.tif 000022
【図２２】
0005851840.tif 000023
【図２３】
0005851840.tif 000024
【図２４】
0005851840.tif 000025
【図２５】
0005851840.tif 000026
【図２６】
0005851840.tif 000027
【図２７】
0005851840.tif 000028
【図２８】
0005851840.tif 000029
【図２９】
0005851840.tif 000030
【図３０】
0005851840.tif 000031
【図３１】
0005851840.tif 000032
【図３２】
0005851840.tif 000033
【図３３】
0005851840.tif 000034
【図３４】
0005851840.tif 000035
【図３５】
0005851840.tif 000036
【図３６】
0005851840.tif 000037
【図３７】
0005851840.tif 000038
【図３８】
0005851840.tif 000039
【図３９】
0005851840.tif 000040